(57)【要約】【課題】フロントキャビネットとパネルモジュールとを固定する爪の係止を強化した表示装置及び該表示装置を備えたテレビジョン受信機を提供する。【解決手段】前側に表示面を有する表示パネル（パネルモジュール）２と、該表示パネル２の周縁部を取り囲むフロントキャビネット１と、前記表示パネル２の後側を覆うリアキャビネット３とを備え、前記フロントキャビネット１は、前記表示パネル２の前側周縁部を覆う環状の前側覆部と、前記表示パネル２の後側面縁部に係止される被係止部と、前記前側覆部及び前記被係止部の間に架け渡される連結部とを有し、前記リアキャビネット３は、前記表示パネル２の側面及び前記連結部を覆う側面覆部を有する表示装置において、前記側面覆部には、前記連結部方向に突出して該連結部と当接し、該連結部の撓みを規制する規制部を有するよう構成する。【選択図】図１
2013219612.tif 000002
【特許請求の範囲】
【請求項１】
前側に表示面を有する表示パネルと、
該表示パネルの周縁部を取り囲むフロントキャビネットと、
前記表示パネルの後側を覆うリアキャビネットと
を備え、
前記フロントキャビネットは、
前記表示パネルの前側周縁部を覆う環状の前側覆部と、
前記表示パネルの後側面縁部に係止される被係止部と、
前記前側覆部及び前記被係止部の間に架け渡される連結部とを有し、
前記リアキャビネットは、前記表示パネルの側面及び前記連結部を覆う側面覆部を有する
表示装置において、
前記側面覆部には、前記連結部方向に突出して該連結部と当接し、該連結部の撓みを規制する規制部を有すること
を特徴とする表示装置。
【請求項２】
前記規制部は、前記連結部の後側と当接し、該連結部の撓みを規制してある
ことを特徴とする請求項１に記載の表示装置。
【請求項３】
前記連結部は前記前側覆部から後側に突設してある
ことを特徴とする請求項１または２に記載の表示装置。
【請求項４】
前記被係止部は爪形状としてある
ことを特徴とする請求項１から３のいずれか一項に記載の表示装置。
【請求項５】
請求項１から４のいずれか一つに記載の表示装置と、
テレビジョン放送を受信する受信部と
を備え、
前記受信部にて受信したテレビジョン放送に基づいて、前記表示装置に映像を表示するようにしてあること
を特徴とするテレビジョン受信機。
【発明の詳細な説明】
【技術分野】
【０００１】
本発明は、映像を表示する表示装置及び該表示装置を備えたテレビジョン受信機に関する。
【背景技術】
【０００２】
テレビジョン受信機に使用される表示装置は、一面に映像を表示する表示パネル、映像表示面側の表示パネル周縁を覆うフロントキャビネット、表示パネルの他面を覆うリアキャビネット等からなる。表示装置において、フロントキャビネット及びリアキャビネットは、表示パネルを挟むようにして組み合わせされ、互いに固定される。フロントキャビネットとリアキャビネットとの固定は、フロントキャビネットに、ネジ穴が形成されたボスを突設し、リアキャビネットに設けたビス通し穴よりビスを通し、ビスをボスに形成したネジ穴に螺合することにより行なっている。しかしながら、近年、表示パネルの挟額縁化によりリアキャビネットの額縁部分、すなわち、表示パネル前側縁部を覆う環状部分が従来よりも狭くすることが望まれている。
【０００３】
特許文献１には、フロントキャビネットより突出する爪フックを、表示パネルを含むパネルモジュールの外形に引っ掛けることにより、フロントキャビネットをパネルモジュールに固定してある表示装置が記載されている（段落００２１、図７等）。
【先行技術文献】
【特許文献】
【０００４】
【特許文献１】特開２００９−４２５３７号公報
【発明の概要】
【発明が解決しようとする課題】
【０００５】
特許文献１に記載の表示装置においては、ビスを螺合するボスが不要であり、表示装置の挟額縁化を可能としている。しかしながら、爪フックはビスと比較すると固定強度が弱く、フロントキャビネットを強く引っ張った場合や、強い衝撃を与えた場合に、爪フックが外れてしまう。本発明は、上述のごとき実情に鑑みてなされたものであり、フロントキャビネットとパネルモジュールとを固定する爪の係止を強固にした表示装置及び該表示装置を備えたテレビジョン受信機を提供することを目的とする。
【課題を解決するための手段】
【０００６】
本発明に係る表示装置は、前側に表示面を有する表示パネルと、該表示パネルの周縁部を取り囲むフロントキャビネットと、前記表示パネルの後側を覆うリアキャビネットとを備え、前記フロントキャビネットは、前記表示パネルの前側周縁部を覆う環状の前側覆部と、前記表示パネルの後側面縁部に係止される被係止部と、前記前側覆部及び前記被係止部の間に架け渡される連結部とを有し、前記リアキャビネットは、前記表示パネルの側面及び前記連結部を覆う側面覆部を有する表示装置において、前記側面覆部には、前記連結部方向に突出して該連結部と当接し、該連結部の撓みを規制する規制部を有することを特徴とする。
【０００７】
本発明にあっては、フロントキャビネットの前側覆部及び被係止部の間に架け渡される連結部、連結部先端には表示パネルの後側面縁部に係止される被係止部を有し、リアキャビネット側面覆部には連結部と当接し、連結部の撓みを規制する規制部を有するので、フロントキャビネットと表示パネルとを固定する被係止部の係止を強固にすることが可能となる。
【０００８】
本発明に係る表示装置は、前記規制部は、前記連結部の後側と当接し、該連結部の撓みを規制してあることを特徴とする。
【０００９】
本発明にあっては、規制部は、連結部の後側とも当接することにより、連結部の撓みを規制するので、フロントキャビネットと表示パネルとを固定する被係止部の係止を、より強固にすることが可能となる。
【００１０】
本発明に係る表示装置は、前記連結部は前記前側覆部から後側に突設してあることを特徴とする。
【００１１】
本発明に係る表示装置は、前記被係止部は爪形状としてあることを特徴とする。
【００１２】
本発明に係るテレビジョン受信機は、上述に記載の表示装置と、テレビジョン放送を受信する受信部とを備え、前記受信部にて受信したテレビジョン放送に基づいて、前記表示装置に映像を表示するようにしてあることを特徴とする。
【００１３】
本発明にあっては、上述に記載の表示装置を備えたテレビジョン受信機において、フロントキャビネットの前側覆部及び被係止部の間に架け渡される連結部、連結部先端には表示パネルの後側面縁部に係止される被係止部を有し、リアキャビネット側面覆部には連結部と当接し、連結部の撓みを規制する規制部を有するので、フロントキャビネットと表示パネルとを固定する被係止部の係止を強固にすることが可能となる。
【発明の効果】
【００１４】
本発明にあっては、表示装置において、フロントキャビネットの前側覆部及び被係止部の間に架け渡される連結部、連結部先端には表示パネルの後側面縁部に係止される被係止部を有し、リアキャビネット側面覆部は連結部と当接し、連結部の撓みを規制する規制部を有するので、フロントキャビネットと表示パネルとを固定する被係止部の係止を強固にすることが可能となる。
【図面の簡単な説明】
【００１５】
【図１】テレビジョン受信機の一例を示す斜視図である。
【図２】テレビジョン受信機主要部の縦断面図である。
【図３】テレビジョン受信機主要部の縦断面図である。
【発明を実施するための形態】
【００１６】
以下、本発明をその実施の形態を示す図面に基づき具体的に説明する。実施の形態に係る表示装置は、例えば、液晶表示装置、プラズマ表示装置、有機ＥＬ（Electro Luminescence）表示装置である。以下では、表示装置の一例として、液晶表示装置を備えたテレビジョン受信機を挙げて説明する。
【００１７】
実施の形態１
図１は、テレビジョン受信機の一例を示す斜視図である。テレビジョン受信機は、フロントキャビネット１、パネルモジュール２、リアキャビネット３、受信部４、電源部５、スタンド６を含む。パネルモジュール２は、それぞれ図示しない、表示パネルとしての液晶表示パネル、液晶表示パネルに光を供給する光源モジュール、光源モジュールを制御する回路基板、光源モジュール及び回路基板を収納する金属製箱体などからなる。
【００１８】
パネルモジュール２は、一面（表示面）に映像を表示する。パネルモジュール２の映像表示面側は、フロントキャビネット１により周縁部が取り囲まれている。他面側のリアキャビネット３は、箱状をなし、パネルモジュール２の周面部分を外側から覆っている。スタンド６は、フロントキャビネット１、パネルモジュール２及びリアキャビネット３を起立状態で支持している。受信部４はテレビ放送を受信する。電源部５はテレビジョン受信機各部に電力を供給する。受信部４及び電源部５は、パネルモジュール２とリアキャビネット３の間に備えられている。
以降、起立状態のテレビジョン受信機において、パネルモジュール２が見えている側を前側、その逆側を後側、パネルモジュール２の上側を単に上側、パネルモジュール２の下側を単に下側という。
【００１９】
図２は、テレビジョン受信機主要部の縦断面図である。テレビジョン受信機の上側側面を示している。フロントキャビネット１は、環部１１、鍔部１４を含む。リアキャビネット３は底板部３１、側面部３２を含む。パネルモジュール２は、表示面２１を有する液晶パネル、液晶パネル側面から光を導き、表示面２１側に光を照射する導光板、反射シート等を含む。
【００２０】
フロントキャビネット１の環部１１（前側覆部）は、パネルモジュール２の表示面２１の周縁部を覆う矩形枠状の部材である。環部１１は内側部分に開口を有し、ユーザはこの開口により、パネルモジュール２の表示面２１に表示される映像を見ることが可能となっている。
【００２１】
環部１１はパネルモジュール２の上面より更に上方に延びている。環部１１の上端は鍔部１４に連なっている。鍔部１４は、環部１１の外周縁から後側にその側面が突出するように設けられている。鍔部１４は、後側から見て矩形状をなし、パネルモジュール２の側面前側を覆っている。
【００２２】
突出部１２（連結部）は、環部１１の後面から該面の垂直方向に延びている。突出部１２の先端近傍の下面には、下側に突出した爪部１３（被係止部）が一体的に設けられている。突出部１２の突出長は、パネルモジュール２の奥行寸法と略同一としてある。フロントキャビネット１の環部１１と爪部１３との間にパネルモジュール２を挟むように、フロントキャビネット１とパネルモジュール２とを組み合わせる。パネルモジュール２とフロントキャビネット１とを組み合わせた場合、爪部１３はパネルモジュール２の後面縁部にて係止される位置にしてある。突出部１２の根本には薄肉部分があり、爪部１３がパネルモジュール２の後面縁部に係止する際には、突出部１２の全体が撓みやすくなるようにしてある。
【００２３】
リアキャビネット３はパネルモジュール２の後側を覆う底板部３１と、パネルモジュール２の側面を覆う側面部３２（側面覆部）とを含む。リアキャビネット３の側面部３２には下側に突出する板状のリブ３３（規制部）が設けてある。リブ３３は側面部３２に対して略垂直に突出している。リブ３３はリアキャビネット３と一体となっている。リブ３３の位置は、フロントキャビネット１の突出部１２の位置と合わせてある。
【００２４】
リアキャビネット３の側面部３２の先端部分と、フロントキャビネット１の鍔部１４とを嵌め合わせることで、フロントキャビネット１とリアキャビネット３とを組み合わせる。フロントキャビネット１とリアキャビネット３とを組み合わせた場合、リブ３３は突出部１２に当接し、突出部１２を下側方向に押さえつけるようにしてある。リブ３３の前後方向の寸法は突出部１２を押さえつけるのに十分であり、かつ、他の構成部品と干渉が起きない長さであれば良い。
【００２５】
以上のように、リアキャビネット３の側面部３２に設けたリブ３３により、フロントキャビネット１の突出部１２が押さえつけられ、突出部１２が撓むことを抑制する。それにより、突出部１２の先端の爪部１３がパネルモジュール２の後面縁部から係止解除することを抑制することが可能となる。すなわち、フロントキャビネット１とパネルモジュール２とを固定する爪部１３の係止を強固にすることが可能となる。
【００２６】
なお、上述では、突出部１２、爪部１３、リブ３３はパネルモジュール２の上側側面についてのみ図示して説明をしたが、同様な構成がパネルモジュール２の下側側面、右側側面、左側側面にも設けてある。
【００２７】
実施の形態２
図３はテレビジョン受信機主要部の縦断面図である。実施の形態１との相違点は、リアキャビネット３にリブ３４（規制部）が追加されている点である。その他については実施の形態１と同様であるので、同一の符号を付し説明を省略する。
【００２８】
リアキャビネット３に設けてあるリブ３４は、リブ３３と一体となっている。リブ３４はリブ３３より下側、及びリアキャビネット３より前側に突出している。フロントキャビネット１とリアキャビネット３とを組み合わせた場合、リブ３４は突出部１２の後側端部１２ａを後側から押さえこむようになっている。リブ３３が突出部１２を上から押さえつけることに加え、突出部１２の後側端部１２ａがリブ３４との摩擦により押さえつけられるので、突出部１２が撓むことを、より強く抑制することが可能となる。よって、爪部１３がパネルモジュール２の後面縁部から係止解除することを抑制することが可能となる。
【００２９】
以上のように本実施の形態においては、実施の形態１よりも更に、フロントキャビネット１とパネルモジュール２とを固定する爪部１３の係止を強固にすることが可能となる。
【００３０】
本実施の形態において、リブ３４はリブ３３と一体としているが、リブ３４をリブ３３と別体に設けても良い。リブ３３の位置とリブ３４の位置は同一である必要はなく、多少位置がずれていても良い。
【００３１】
上述した実施の形態１及び２におけるリブ３３及び３４の形状は一例である。連結部１２と当接する部分のリブ３３の形状を、連結部１２の形状と合うように精度よく形成すれば、連結部１２の撓みをより強く抑制することが可能となる。また、突出部１２の後側端部１２ａと当接する部分のリブ３４の形状も同様に、後側端部１２ａの形状と合うように形成すれば、後側端部１２ａとリブ３４との摩擦力は大きくなり、連結部１２の撓みをより強く抑制することが可能となる。
【００３２】
なお、上述した実施の形態はすべての点で例示であって、制限的なものではないと考えられるべきである。本発明の範囲は、上述した意味ではなく、特許請求の範囲によって示され、特許請求の範囲と均等の意味及び範囲内でのすべての変更が含まれることが意図される。
【符号の説明】
【００３３】
１  フロントキャビネット
１１  環部
１２  突出部
１２ａ  突出部の後側端部
１３  爪部
１４  鍔部
３  リアキャビネット
３１  底板部
３２  側面部
３３、３４  リブ（規制部）
２  パネルモジュール
４  受信部
５  電源部
６  スタンド
【図１】
2013219612.tif 000003
【図２】
2013219612.tif 000004
【図３】
2013219612.tif 000005